(57)【特許請求の範囲】
【請求項１】
放送用原稿等を示す映像信号に基づいて前記原稿等を表示する表示手段を有するプロンプタに使用される映像信号処理装置において、
原稿を示す複数画面分の画像データを記憶する画像メモリと、
原稿読上者の音声を電気的な音声信号に変換するマイクと、
前記音声信号に基づいて原稿読上者の発声文字数を検知する発声文字数検知手段と、
前記発声文字数検知手段により検知した発声文字数に基づいて前記画像メモリからの１画面分の画像データの読出領域を移動させるとともに、該読出領域の画像データに基づいて前記表示手段に原稿を表示させて原稿をスクロールする制御手段と、
を備えたことを特徴とするプロンプタの映像信号処理装置。
【請求項２】
放送用原稿等を示す映像信号に基づいて前記原稿等を表示する表示手段を有するプロンプタに使用される映像信号処理装置において、
原稿を示す複数画面分の画像データを記憶する画像メモリと、
原稿読上者の音声を電気的な音声信号に変換するマイクと、
前記音声信号から原稿読上者が現在原稿を読み上げているか否かを判断する判断手段と、
前記画像メモリからの１画面分の画像データの読出領域の移動速度を原稿読上者の平均読上速度等の任意の速度に設定する速度設定手段と、
前記判別手段が原稿読み上げ中と判断しているときのみ、前記画像メモリにおける１画面分の画像データの読出領域を前記設定した移動速度で移動させるとともに、該読出領域の画像データに基づいて前記表示手段に原稿を表示させて原稿をスクロールする制御手段と、
を備えたことを特徴とするプロンプタの映像信号処理装置。
【発明の詳細な説明】
【０００１】
【産業上の利用分野】
本発明はニュースキャスタが読むための原稿を表示部に表示し、ニュースキャスタの読上速度に応じてこの表示内容をスクロールさせるプロンプタの映像信号処理装置に係り、原稿を示す映像信号を画像データとして画像メモリに一旦記憶しておき、所定のタイミングで該画像データを該画像メモリから出力させるプロンプタの映像信号処理装置に関するものである。
【０００２】
【従来の技術】
テレビ局のニュース番組等において、ニュースキャスタが読み上げる原稿をテレビカメラの前方に投影し、ニュースキャスタがテレビカメラ方向を見ながらこの原稿の内容を読み上げることができるようにしたプロンプタの映像信号処理装置が知られている。
【０００３】
この種のプロンプタの映像信号処理装置としては、従来例えば図７に示すように原稿２を撮影する原稿カメラ４と、この原稿カメラ４からの映像信号に基づいて原稿を表示するブラウン管方式のテレビジョン６と、テレビカメラ１０の前方に配設されたテレビジョン６上の画像をニュースキャスタ９が見えるように反射させるハーフミラー８とから構成されたものが知られているが、このようなプロンプタの映像信号処理装置では原稿の交換はニュースキャスタが原稿を読む速さに応じて第三者が行わなければならず、交換のタイミングが難しい。
【０００４】
そこで、この問題を解決するため、原稿撮影用カメラから出力された映像信号をデジタル画像データとして一端画像メモリに格納し、ニュースキャスタのスイッチ操作に基づく所定の読出（スクロール）速度で該画像メモリから画像データを読み出し、これをアナログ映像信号に変換しテレビ管面上に表示するプロンプタの映像信号処理装置が発明されており、既に出願されている（特願平４ー２３６０２６号明細書）。
【０００５】
このプロンプタの映像信号処理装置によれば第三者の手を煩わせることなく、ニュースキャスタが自分の原稿読上速度に応じて自在に表示部上の原稿の送り制御を行うことができる。
しかしながら、このプロンプタの映像信号処理装置では、ニュースキャスタがテレビジョン管面を見ながら原稿を読み上げ、これと共に画像データの読出操作（スクロール操作）を行う必要があるため、ニュースキャスタが原稿の読み上げに集中できないおそれがある。
【０００６】
そこで、特願平５ー２１４３２０号明細書において次の様な発明が出願されている。このプロンプタの映像信号処理装置は、リーハーサル時等において、ニュースキャスタの原稿読上速度に応じて操作された、画像メモリからの原稿画像データの読出速度（画面原稿のスクロール速度）に関するデータを所定のメモリに記憶させておき、番組の本番時にこのメモリに記録されている読出速度に関するデータに応じて画像メモリからの原稿画像データの読み出しを行い、リハーサル時の画面原稿のスクロール状態を本番時にトレースする。これによって、原稿読上者による本番時における画像データの読出し操作を省略することができる。
【０００７】
【発明が解決しようとする課題】
ところが、このプロンプタの映像信号処理装置は、リハーサルなしでは画像メモリからの原稿画像データの読出速度を設定することができず、番組本番中に突然入り込んだ原稿や、リハーサルの時間がない緊急の場合などには使用できない欠点があった。
【０００８】
本発明はこのような事情に鑑みてなされたものであり、画像メモリから所望の画像データを読み出して原稿のスクロールを行い、現在ニュースキャスタが話しているか否かを判断してスクロールの実行および停止を行う、リハーサルを必要としないプロンプタの映像信号処理装置を提供することを目的とするものである。
【０００９】
【課題を解決するための手段】
本発明は前記目的を達成するために、放送用原稿等を示す映像信号に基づいて前記原稿等を表示する表示手段を有するプロンプタに使用される映像信号処理装置において、原稿を示す複数画面分の画像データを記憶する画像メモリと、原稿読上者の音声を電気的な音声信号に変換するマイクと、前記音声信号に基づいて原稿読上者の発声文字数を検知する発声文字数検知手段と、前記発声文字数検知手段により検知した発声文字数に基づいて前記画像メモリからの１画面分の画像データの読出領域を移動させるとともに、該読出領域の画像データに基づいて前記表示手段に原稿を表示させて原稿をスクロールする制御手段と、を備えたことを特徴としている。
【００１０】
また、前記発生文字数検知手段及び制御手段の代わりに、前記音声信号から原稿読上者が現在原稿を読み上げているか否かを判断する判断手段と、前記画像メモリからの１画面分の画像データの読出領域の移動速度を原稿読上者の平均読上速度等の任意の速度に設定する速度設定手段と、前記判別手段が原稿読み上げ中と判断しているときのみ、前記画像メモリにおける１画面分の画像データの読出領域を前記設定した移動速度で移動させるとともに、該読出領域の画像データに基づいて前記表示手段に原稿を表示させて原稿をスクロールする制御手段と、を備えたことを特徴としている。
【００１１】
【作用】
上記構成によれば、原稿を示す複数画面分の画像データを画像メモリに格納しておく。そして番組本番中において、原稿読上者（ニュースキャスタ）の原稿を読む音声を音声マイクから取り込み、原稿読上者が現在読み上げている原稿の位置を判断する。この原稿の読上位置を基に画像メモリから画像データを読み出し、画面に表示された原稿のスクロールを行う。あるいは、原稿のスクロール速度を原稿読上者の平均の読上速度に設定し、原稿読上者の原稿を読む音声を音声マイクから取り込み、この音声信号をデジタル処理した後、原稿読上者が今現在原稿を読んでいるか否かを判断し、読んでいるときは原稿を予め設定したスクロール速度でスクロールし、読んでいないときはスクロールを停止する。
【００１２】
【実施例】
以下添付図面に従って本発明に係るプロンプタの映像信号処理装置の好ましい実施例を詳述する。
先ず、本発明に係るプロンプタの映像信号処理装置が適用されるプロンプタについて説明する。図８に示すようにプロンプタ１００は、液晶パネル１０２を備えた表示器１０４を主な構成としている。この表示器１０４は、支持アーム１０６、及び上下角調整部１０８を介してＥＮＧカメラ本体１１０のグリップ部１１２に着脱自在に取り付けられ、前記液晶パネル１０２が撮影レンズとしてのＥＮＧレンズ１１４の周囲に位置されている。前記液晶パネル１０２には、図示しないケーブルを介してビデオカメラが接続されており、このビデオカメラで撮影された放送用原稿の画像が表示される。
【００１３】
前記支持アーム１０６は、略中央部に取り付けられたネジ１１６を回すことによりその長さが調節可能となっている。また、前記表示器１０４は、支持アーム１０６の二股に形成された先端部１１８に図示しない軸を介して軸支され、この軸の両端に設けられたネジ１２２、１２２を締め付けることにより、所望の角度に傾斜されて固定される。前記上下角調整部１０８は、そのネジ１２４を回すことにより、支持アーム１０６の上下角度を可変できる機構となっている。
【００１４】
このように構成されたプロンプタによれば、液晶パネル１０２をニュースキャスタに向けて設定すれば、ニュースキャスタは液晶パネル１０２で表示された原稿の画像を直接見ながらＥＮＧカメラに向かってニュース解説等を行うことができる。
図１は本発明に係るプロンプタの映像信号処理装置を示すブロック図である。
【００１５】
図１において、ビデオ入力端子１２は原稿カメラのビデオ出力端子（図示せず）に接続され、原稿カメラで撮影した原稿を示す映像信号が加えれるようになっている。このビデオ入力端子１２から入力した映像信号は、Ａ／Ｄコンバータ１４および同期分離回路１６に加えられる。
同期分離回路１６は入力する映像信号から同期信号を分離し、この同期信号をタイミングジェネレータ１８に出力する。タイミングジェネレータ１８は、同期分離回路１６から加えられる同期信号に同期して映像信号の記録時における各種のタイミング信号を各回路に出力するとともに、後述するように中央処理装置（ＣＰＵ）２０から加えられる同期信号に同期して画像データの読み出し時における各種のタイミング信号を各回路に出力する。
【００１６】
Ａ／Ｄコンバータ１４は入力する映像信号をデジタルの画像データに変換し、これを画像メモリ２２に出力する。
画像メモリ２２は例えば４６ページ分の画面の画像データを記憶することができ、その画像データの書き込み及び読み出しはタイミングジェネレータ１８及びアドレスデコーダ２４から加えられる信号に基づいて制御される。尚、この画像データの書き込みおよび読み出し制御の詳細については後述する。
【００１７】
画像メモリ２２から読み出された画像データは、Ｄ／Ａコンバータ２６でアナログ映像信号に変換され、ビデオアンプ２８で増幅された後ビデオ出力端子３０から出力される。このビデオ出力端子３０は、例えば図７に示すテレビジョン６に接続れ、テレビジョン６の画面に表示された原稿は、ハーフミラー８を介してテレビカメラ１０の前方に投影される。
【００１８】
音声マイク３３は音声入力端子３２と接続され、原稿読上者が読み上げた音声を電気信号に変換し、音声入力端子３２に出力する。音声入力端子３２から取り込まれた音声信号は、ローパスフィルタ（ＬＰＦ）３４を介して、Ａ／Ｄコンバータ３６に加えられ、デジタル音声信号に変換されてＣＰＵ２０に送られる。
ＣＰＵ２０は、この音声信号を基に原稿読上者が現在までに読み上げた発声文字数を判断し、現在原稿読上者が読み上げている原稿の位置を把握するとともに、この位置がプロンプタに表示されるようにアドレスデコーダ２４に順次アドレスを出力し、画像メモリから画像データの読み出し制御を行う。ただし、この原稿には漢字や句読点等の記号も含まれており、読み上げるた発声文字数は原稿に表記された表記文字数と異なる。したがって、原稿読上者が読み上げている原稿の位置はプロンプタの一定の位置に表示されているとは限らず左右にずれていく。しかし、数枚の原稿を読む程度であれば、原稿読上者が読み上げている原稿の位置がプロンプタの表示範囲からはずれることはないと考えられるため、今後、発声文字数と表記文字数との区別はせず、等しいものとして実施例の説明をする。
【００１９】
次に、画像メモリ２２における画像データの書き込みおよび読み出し制御について説明する。
初めに、画像メモリ２２に複数枚の原稿（複数コマ）の画像データを書き込む場合について説明する。まず、最初に読み上げる１枚目の原稿を原稿用撮影カメラで撮影し、操作部３８の図示しない書き込みスイッチを１回押下する。これにより、１枚目の原稿を示す１コマ分の画像データは図２に示す画像メモリ２２のアドレステーブル上の第１画面と記された領域に記憶される。続いて、２枚目以降の原稿も上記操作と同様にして図２における第２画面以降の領域に順次記憶させていく。このようにして、全原稿を示す複数コマ分の画像データを画像メモリ２２にあらかじめ記憶させておく。
【００２０】
次に、図３のフローチャートを用いて、本番における画像メモリ２２に記憶された複数コマ分の画像データの読み出し制御について説明する。
まず、操作部３８の図示しないスタートスイッチを押下し、画像メモリ２２から画像データを読み出すためのスタートアドレスを１枚目の原稿の画像データが格納された記憶部分のスタートアドレスＡ（Ａ＝２１９０（図２参照））に設定する（Ｓ１０）。そして、そのスタートアドレスＡを基準にして画像メモリ２２から１画面分の画像データを読み出すことにより、１枚目の原稿をプロンプタに表示する。尚スタートアドレスが設定されると、そのスタートアドレスＡを基準とする１画面分の読出領域が特定される。
【００２１】
続いて、原稿読上者が原稿を読み上げ始めると、ＣＰＵ２０により原稿読上者が読み上げた発声文字数のカウントが開始され、原稿のスクロールがおこなわれる。原稿のスクロールは図３のようなＣＰＵ２０の手順によって行われる。
まず、垂直ブランキング期間であるか否かを判断し（Ｓ１１）、垂直ブランキング期間でなければ垂直ブランキング期間になるまで待機する。垂直ブランキング期間になると、ＣＰＵ２０は、音声を基に判断した発声文字数から原稿読上者が現在読み上げている行を検知し、その行がプロンプタの所定の位置に表示されているか否かを判断する（Ｓ１２）。もし、原稿読上者が現在読み上げている行がこの所定の位置からずれている場合は、スタートアドレスＡを変更することによって画像メモリ２２における読出領域を移動させる。
【００２２】
ここで、Ｓ１２、Ｓ１４の手順のために必要な原稿の書式について説明する。図４に画像メモリ２２に記憶する原稿の１例を示す。図４の原稿は横に６文字、縦に６文字の縦書きで記されている。このとき、原稿１枚分の画像メモリ２２上の記憶領域は横に３６５のアドレス幅をもっているため（図２参照）、１行当りのメモリ幅は約６１となる。従って、原稿を１行分右方向にスクロールさせる場合には、スタートアドレスＡから１行当りのメモリ幅ΔＰ（＝６１）を減算し、これを新たなスタートアドレスＡとして読出領域を特定すればよい。このように原稿の書式を設定しておくことにより、ＣＰＵ２０は、原稿読上者が読み上げた発声文字数から現在読み上げている行を割り出し、この行の画像データが記憶されている画像メモリ上のアドレス値を算出することができる（ただし、発声文字数と表記文字数は等しいと仮定している）。
【００２３】
そして、上記Ｓ１１からＳ１４までの処理は、所定枚数の原稿の読上が終了するまで行われる（Ｓ１５）。
尚、上記で示した様に原稿内で使用する漢字等の記号により、発声文字数と表記文字数が大きく異なった場合は、プロンプタに表示される原稿の範囲が適切でなくなる。すなわち、原稿読上者が現在読み上げている位置がプロンプタに表示されていないという事態がおこる。しかし、このような場合にそなえて手動で原稿のスクロールが行えるようにしておけば、上記の様な事態にも対応できる。
【００２４】
図５は本発明に係るプロンプタの映像信号処理装置の他の実施例を示すブロック図である。図１と共通する部分には同一の符号を付し、その詳細な説明は省略する。
図５のプロンプタの映像信号処理装置には、スクロールスピード調整用可変抵抗７０が設けられており、この可変抵抗７０からＡ／Ｄコンバータ７２を介してスクロールスピード情報がＣＰＵ２０に入力される。尚、可変抵抗７０によるスクロールスピードの設定は、原稿読上者の平均読上速度に基づいて読上者毎に予め設定される。また、ＣＰＵ２０は、音声マイク３３から入力する音声信号に基づいて現在原稿読上者が原稿を読み上げているか否かを判断している。
【００２５】
次に、このプロンプタの映像信号処理装置における画像データの読み出し手順を図６に示したフローチャートを参照しながら説明する。
まず、ＣＰＵ２０は、垂直ブランキング期間か否かを判断し（Ｓ３０）、垂直ブランキング期間になるまで待機する。垂直ブランキング期間になると、音声マイク３３によって取り込まれた音声信号を基に、現在原稿読上者が原稿を読み上げているか否かを判断する（Ｓ３２）。読み上げていなければ終了の判断を行う（Ｓ３８）。一方、原稿を読み上げているならば、予め設定しておいたスクロールスピードに基づいて原稿のスクロールを行うか否かを判断し（Ｓ３４）、スクロールするのであればアドレスデコーダを１減算し（Ｓ３６）、スクロールしないのであればアドレスデコーダの値は元のままにする。尚、Ｓ３４では、前回のスクロール操作（Ｓ３６）以降、垂直ブランキング期間が何回繰り返されたかをカウントし、このカウント数がスクロールスピードに基づいて決められた所定の値を越えたとき、スクロールを行うと判断している。
【００２６】
そして、終了の判断（Ｓ３８）において、最後の画面の画像データがプロンプタに表示されると上記処理は終了する。
以上、２つの実施例を説明したが、上記実施例のいずれにおいても、あらかじめ原稿をメモリに記憶させる手段として、原稿撮影用カメラを用いているが、これに限らず、例えば、ワープロ等の文字入力手段を用いて原稿を画像メモリに記憶させるようにしてもよい。
【００２７】
また、原稿読上者が読み上げている原稿の位置を検知する方法として、上記実施例では原稿読上者の発声文字数をカウントして行っていたが、これに限らず、ワープロ等によって文字を入力し、これを文字データとしてメモリに記憶させておけば、原稿読上者の音声から認識した文字とメモリ上の原稿の文字とを比較することにより、原稿読上者が現在読み上げている原稿の位置を検知することができる。
【００２８】
更に、上記実施例では、プロンプタに表示する原稿の読み込みは、原稿カメラで撮影した原稿の映像信号をプロンプタのビデオ入力端子１２から入力して行っていたが、これに限らず、例えば、ワープロやパソコン等で原稿を作成し、作成した原稿のデータをフロッピーディスク等を介して、或いは直接プロンプタに入力し、この原稿のデータを映像信号に変換してピデオ入力端子１２から入力するようにしてもよい。或いは、ワープロやパソコン等で作成した原稿のデータを映像信号に変換せず、直接、画像メモリ２２に記録するようにしてもよい。
【００２９】
【発明の効果】
以上説明したように本発明に係るプロンプタの映像信号処理装置によれば、原稿読上者の読み上げている音声から、画像メモリにあらかじめ記憶させた原稿の画像データの読み出し制御を行うことによって、第３者および原稿読上者の手を煩わすことなく、自動的に原稿のスクロールを行うことができる。
【図面の簡単な説明】
【図１】図１は本発明に係るプロンプタの映像信号処理装置の一実施例を示すブロック図である。
【図２】図２は図１に示す画像メモリ内に格納される画像データに対応するアドレスデータを記憶したテーブルを示す概略図である。
【図３】図３は図１の実施例装置における画像データの読み出し手順を示すフローチャートである。
【図４】図４は本発明の一実施例のプロンプタの映像信号処理装置において、画像メモリに記憶させる原稿の一例を示した図である。
【図５】図５は図１の実施例とは異なる他のプロンプタの映像信号処理装置を示すブロック図である。
【図６】図６は図５の実施例装置における画像データの読み出し手順を示すフローチャートである。
【図７】図７は従来のプロンプタの全体構成を示す概略図である。
【図８】図８は本発明が適用されるプロンプタの一実施例を示す図である。
【符号の説明】
２…原稿
４…原稿カメラ
６…テレビジョン
８…ハーフミラー
１０…テレビカメラ
２０…ＣＰＵ
２２…画像メモリ
２４…アドレスデコーダ
３３…音声マイク
７０…スクロールスピード調整用可変抵抗
【図１】
0003552127.tif 000002
【図２】
0003552127.tif 000003
【図３】
0003552127.tif 000004
【図４】
0003552127.tif 000005
【図５】
0003552127.tif 000006
【図６】
0003552127.tif 000007
【図７】
0003552127.tif 000008
【図８】
0003552127.tif 000009